(57)【特許請求の範囲】
【請求項１】
コンタクトガラス上面の所定の原稿読取位置における読取原稿の反射光による原稿像を結像する結像素子と、前記原稿像の結像位置に主走査方向に配列され近接して配置される端部において前記原稿像を主走査方向に重複して読み取る複数のラインイメージセンサと、前記原稿と前記ラインイメージセンサとの間に配置され反射光を前記ラインイメージセンサに導く光学系と、前記複数のラインイメージセンサからの複数の画像データを連結する画像合成手段と、を備える画像読取装置において、
前記原稿読取位置から外れた所定の位置であるマーカ読取位置の前記複数のラインイメージセンサが重複して読み取れる個所であって、前記原稿読取位置とは反対側で前記結像素子側となる前記コンタクトガラス下面側に位置補正用マーカを配置し、かつ前記結像素子から前記マーカ読取位置までの光路長を、前記結像素子から前記原稿読取位置までの光路長と等しくすると共に、
前記光学系には、前記ラインイメージセンサによる読取位置を前記原稿読取位置と、前記マーカ読取位置と、に変更する光路変更手段を備えることを特徴とする画像読取装置。
【請求項２】
前記光学系は光路を折り返す反射部材を備え、前記光路変更手段は前記反射部材とこの反射部材を回転駆動させる回転駆動装置とを備えることを特徴とする請求項１記載の画像読取装置。
【請求項３】
前記光路変更手段を構成する反射部材は、前記原稿読取位置からの反射光を全てのラインイメージセンサに射出する連続した１枚の反射鏡で構成されていることを特徴とする請求項２記載の画像読取装置。
【請求項４】
前記光路変更手段を構成する反射部材は、主走査方向に配列された複数の反射鏡と、これらの反射鏡を結合して前記回転駆動手段で一体に回転駆動する結合部材とで構成されていることを特徴とする請求項２記載の画像読取装置。
【請求項５】
前記光学系は複数の反射部材を備え、前記光路変更手段を構成する反射部材は、前記原稿読取位置に最も近い反射部材であることを特徴とする請求項１乃至４のいずれか記載の画像読取装置。
【請求項６】
前記位置補正用マーカは、前記主走査方向に垂直な一辺をもつ三角形状を有し、前記コンタクトガラスを通過する光の光量を低下させる透過光量低減手段を構成することを特徴とする請求項１乃至５のいずれか記載の画像読取装置。
【請求項７】
前記画像合成手段は、前記位置補正用マーカにより検出した位置情報に基づいて、前記複数のラインイメージセンサからの画像データの連結位置をラインイメージセンサの画素単位で決定する手段を備えることを特徴とする請求項１乃至６のいずれか記載の画像読取装置。
【請求項８】
前記画像合成手段は、前記位置補正用マーカにより検出した位置情報に基づいて、前記複数のラインイメージセンサからの各画像データの連結位置をラインイメージセンサの画像単位で決定する手段と、１画素未満の相対的なずれ量を画像補間を用いて補正する手段とを備えることを特徴とする請求項１乃至６のいずれか記載の画像読取装置。
【請求項９】
請求項１乃至８のいずれかの画像読取装置を備えたことを特徴とする画像形成装置。
【発明の詳細な説明】
【技術分野】
【０００１】
本発明は画像読取装置及び画像形成装置に係り、特に所定の原稿読取位置における読取原稿の反射光による原稿像を結像する結像素子と、前記原稿像の結像位置に主走査方向に配列され近接して配置される端部において前記原稿像を主走査方向に重複して読み取る複数のラインイメージセンサと、前記原稿と前記ラインイメージセンサとの間に配置され反射光を前記ラインイメージセンサに導く光学系と、前記複数のラインイメージセンサからの複数の画像データを連結する画像合成手段と、を備える画像読取装置及びこの画像読取装置を備える画像形成装置に関する。
【背景技術】
【０００２】
画像読取装置の読取対象となる原稿には様々な大きさがあり、画像読取装置には、Ａ０サイズなど大判の原稿を読取対象とするものがある。
【０００３】
光学系を移動させてこのような大判原稿を読み取ろうとすると、読取原稿を載置する原稿台が大きくなる他光学系を移動させるキャリッジも大型になってしまう。このため、大判用紙の画像読取装置は、密着ラインイメージセンサを用いた原稿移動型が主流となっている。
【０００４】
前記密着ラインイメージセンサは、主走査方向の長さを少なくとも原稿幅と同じか、それ以上にする必要がある。例えばＡ０サイズの原稿の読取には、ラインイメージセンサの長さが８４１ｍｍ以上必要となる。この場合、ラインイメージセンサを１つのチップで作成するのは技術的に難しく、コストも高くなってしまう。
【０００５】
そこで、複数の小型のラインイメージセンサを主走査方向に配列し、原稿の走査線上からの光線を結像素子で各ラインイメージセンサ上に結像し、これらのラインイメージセンサで読み取った画像信号を電気的につなぎ合わせる処理を行うことにより、走査線全体に対応する画像情報を得る手法が採られている。このように複数のラインイメージセンサを配列する構成では、ラインイメージセンサ間の境目部分で画像に重複領域が生じないように、隣り合うラインイメージセンサの読取領域を一部重複させることが必要である。
【０００６】
図８は従来の画像読取装置の概略構造を示す模式図である。この画像読取装置１００は、２台の結像素子１５０Ａ，１５０Ｂと、２台のラインイメージセンサ１３０Ａ，１３０Ｂを備えて構成されている。この例ではコンタクトガラス１１０と結像素子１５０Ａ，１５０Ｂとの間の光路１８０Ａ，１８０Ｂには、光路偏向用の反射部材１９１Ａ，１９１Ｂ、１９２Ａ，１９２Ｂ、１９３Ａ，１９３Ｂが配置されている。
【０００７】
ここで、ラインイメージセンサ１３０Ａ，１３０Ｂは、コンタクトガラス１１０上の読取幅領域１２０を一部重複して読み取る。即ち、ラインイメージセンサ１３０Ａ，１３０Ｂに結像される読取幅領域１２０Ａ，１２０Ｂは、図８（ｂ）に示すように、重複領域１４０で重なるようになっている。そして読み取られ、読取幅領域１２０Ａ，１２０Ｂから出力される２つの画像データは、画像結合手段１６０で合成され、読取幅領域１２０の画像データとして出力される。
【０００８】
このように、複数のラインイメージセンサ１３０Ａ，１３０Ｂを組み合わせて合成する場合には、ラインイメージセンサ１３０Ａ，１３０Ｂの読取幅領域１２０Ａ，１２０Ｂの重複領域１４０に基準パターンを設け、この基準パターンを読み取り、読み取った画像信号を電気的につなぎ合わせ、ずれのない画像を得るようにしている（特許文献１、特許文献２参照）。
【０００９】
上述のように、隣り合う複数のラインイメージセンサの読取領域を一部重複させ、重複領域分で読み取った画像信号を電気的につなぎ合わせることにより、ずれのない画像を得ることができるが、ラインイメージセンサの重複した読取領域において画像信号が読み取れない場合（ラインイメージセンサの重複した読取領域に文字も画像も何もない場合）などには、画像信号を電気的につなぎ合わせることができなくなる。
【００１０】
また、このような画像読取装置にあっては、製造段階でラインイメージセンサの重複領域を厳密に調整したとしても、運搬時の振動や、設置時の機械本体のゆがみ等により、ラインイメージセンサの重複領域がずれてしまうおそれがあり、ラインイメージセンサの重複領域がずれてしまうと、この重複領域で位置ずれしたものとなってしまう。また、結像光学系の共役長は一般に５００ｍｍ〜８００ｍｍ前後は必要となり、縮小率は１／１５程度になるので、ＣＣＤ側が１０μｍだけずれたとしたとしても、原稿面上では１５０μｍと大きなずれとなってしまう。
【００１１】
更に、このようなラインイメージセンサのずれは、製造段階の他、画像読取装置の使用時において、機内の温度変化による熱膨張によっても生じる。このようなずれは、主走査方向、副走査方向の両方向に対して発生する。
【００１２】
これに対処するため、特許文献３には、ラインイメージセンサを配列する画像読取装置において、ラインイメージセンサの重合部分にマーカを画像として形成し、このマーカをラインイメージセンサ自身で読み取ってその出力の大きさを判定基準としてラインイメージセンサのマーカとの相対位置を検定し、その結果に基づいてラインイメージセンサの位置をシフトして副操作方向の位置ずれを解消するものが記載されている。
【００１３】
また、特許文献４には、副走査方向に伸びる第１の補正用パターンと、走査面上において、主走査方向の主走査座標に対し副走査座標が一意的に決定し、且つ、各イメージセンサの読み取りラインと２点で交わる第２の補正用パターンと、前記第１の補正用パターンと前記第２の補正用パターンとを照射するマーカ照射部とを有するマーカ装置を備えるものが記載されている。
【特許文献１】特開昭６２−１０１１７０号公報
【特許文献２】特開昭５６−１２６３７３号公報
【特許文献３】特開２０００−３５８１４０公報
【特許文献４】特開２００６−２５２８９公報
【発明の開示】
【発明が解決しようとする課題】
【００１４】
しかしながら上述した特許文献３のものはマーカを画像として形成する手段としてＬＥＤやレンズを付加する必用があり、また、特許文献４のものは、補正用パターンを照射するマーカ照射部を配置する必用があり部品点数が増加してしまうという問題がある。
【００１５】
また、上記各例はマーカを原稿の読取位置に表示させるものであるから、基準マーカが原稿読取時の光路上に存在すると、原稿読取時の画像情報に該基準マーカの情報が混入してしまい、悪影響をおよぼしてしまう。原稿読取時に表示されてしまうと、原稿読取時の画像情報に該基準マーカの情報が混入してしまい、悪影響をおよぼしてしまうおそれがある。
【００１６】
そこで、本発明は、原稿読取と位置補正用読取を同一条件とすることができ、両者の読取を同一の焦点深度をもって行うことができ、画像調整の精度を向上させることができる画像読取装置及び画像形成装置を提供することを目的とする。
【課題を解決するための手段】
【００１７】
請求項１の発明は、
コンタクトガラス上面の所定の原稿読取位置における読取原稿の反射光による原稿像を結像する結像素子と、前記原稿像の結像位置に主走査方向に配列され近接して配置される端部において前記原稿像を主走査方向に重複して読み取る複数のラインイメージセンサと、前記原稿と前記ラインイメージセンサとの間に配置され反射光を前記ラインイメージセンサに導く光学系と、前記複数のラインイメージセンサからの複数の画像データを連結する画像合成手段と、を備える画像読取装置において、
前記原稿読取位置から外れた所定の位置であるマーカ読取位置の前記複数のラインイメージセンサが重複して読み取れる個所であって、前記原稿読取位置とは反対側で前記結像素子側となる前記コンタクトガラス下面側に位置補正用マーカを配置し、かつ前記結像素子から前記マーカ読取位置までの光路長を、前記結像素子から前記原稿読取位置までの光路長と等しくすると共に、
前記光学系には、前記ラインイメージセンサによる読取位置を前記原稿読取位置と、前記マーカ読取位置と、に変更する光路変更手段を備えることを特徴とする画像読取装置である。
【００１８】
請求項２の発明は、請求項１記載の画像読取装置において、前記光学系は光路を偏向する反射部材を備え、前記光路変更手段は前記反射部材とこの反射部材を回転駆動させる回転駆動装置とを備えることを特徴とする。
【００１９】
請求項３の発明は、請求項２記載の画像読取装置において、前記光路変更手段を構成する反射部材は、前記原稿読取位置からの反射光を全てのラインイメージセンサに射出する連続した１枚の反射鏡で構成されていることを特徴とする。
【００２０】
請求項４の発明は、請求項２記載の画像読取装置において、前記光路変更手段を構成する反射部材は、主走査方向に配列された複数の反射鏡と、これらの反射鏡を結合して前記回転駆動手段で一体に回転駆動する結合部材とで構成されていることを特徴とする。
【００２１】
請求項５の発明は、請求項１乃至４のいずれかの記載の画像読取装置において、前記光学系は複数の反射部材を備え、前記光路変更手段を構成する反射部材は、前記原稿読取位置に最も近い反射部材であることを特徴とする。
【００２２】
請求項６の発明は、請求項１乃至５のいずれか記載の画像読取装置において、前記位置補正用マーカは、前記主走査方向に垂直な一辺をもつ三角形状を有し、前記コンタクトガラスを通過する光の光量を低下させる透過光量低減手段を構成することを特徴とする。
【００２３】
請求項７の発明は、請求項１乃至６のいずれか記載の画像読取装置において、前記画像合成手段は、前記位置補正用マーカにより検出した位置情報に基づいて、前記複数のラインイメージセンサからの画像データの連結位置をラインイメージセンサの画素単位で決定する手段を備えることを特徴とする。
【００２４】
請求項８の発明は、請求項１乃至６のいずれか記載の画像読取装置において、前記画像合成手段は、前記位置補正用マーカにより検出した位置情報に基づいて、前記複数のラインイメージセンサからの各画像データの連結位置をラインイメージセンサの画像単位で決定する手段と、１画素未満の相対的なずれ量を画像補間を用いて補正する手段とを備えることを特徴とする。
【００２５】
請求項９の発明は、請求項１乃至８のいずれかの画像読取装置を備えたことを特徴とする画像形成装置である。
【発明の効果】
【００２６】
本発明に係る画像読取装置及び画像形成装置によれば、位置補正用マーカを表示させる装置や位置補正用マーカを移動させる装置を配置することなく画像データ結合用データを取得することができるという効果がある。
【発明を実施するための最良の形態】
【００２７】
以下本発明を実施するための最良の形態としての実施例を図面に基づいて説明する。
【実施例】
【００２８】
以下本発明に係る画像形成装置を図面に基づいて説明する。図１は本発明に係る画像形成装置の実施例としての広幅デジタル複写機の外観を示す斜視図である。図示のように、本例の複写機は、装置前面側に原稿挿入用の原稿テーブル１及び操作パネル２を設け、操作者が原稿テーブル１と対面して原稿挿入作業を行いながら操作パネル２で必要なキー操作等を行うように構成してある。この広幅デジタル複写機の内部には、原稿を読み取る画像読取装置、給紙装置、作像装置、転写装置、定着装置等が配置されている。  
【００２９】
操作者は原稿テーブル１に大型シート（例えば、Ａ０縦サイズ、Ａ１横サイズなど）の原稿を載置して、これを手で原稿ユニット３内へ挿入し、所定の突き当て動作を行った後、原稿を読取位置へ搬送させて画像読取装置で画像面を読み取らせる。画像形成装置は、この原稿スキャン動作で画像データを取得した後、給紙装置で転写紙の給紙動作を行い、作像装置で作像プロセスを実行し、転写装置で転写紙へトナー像の転写を行い、定着装置でトナー像の転写紙への定着を行い、画像形成動作を実行する。なお、装置本体４内に配した給紙装置、作像装置、転写装置、定着装置の一般的な構成、機能等は周知であるので説明を省略する。
【００３０】
次に画像読取装置について説明する。図２は実施例に係る画像読取装置の光学系を示す模式図、図３は実施例に係る画像読取装置を示す側面からの模式図である。画像読取装置２００は、図２に示すように、重複する読取領域を備える２台のラインイメージセンサ２３０Ａ，２３０Ｂを具備する。これらのラインイメージセンサ２３０Ａ，２３０Ｂは、コンタクトガラス２１０の画像読取幅領域２２０からそれぞれ画像読取幅領域２２０Ａ，２２０Ｂを読み取り、この２つ画像読取幅領域２２０Ａ，２２０Ｂの画像データは合成され１つの画像データとして出力される。
【００３１】
また、画像読取装置２００は、光学系中に光路変更手段を備える。図３に示すように、ラインイメージセンサ２３０Ａ，２３０Ｂでコンタクトガラス２１０上の２個所の読取位置、即ち、原稿を読み取る原稿読取位置Ａ、及び前記画像合成手段２６０で画像を合成する際に使用する位置補正信号を取得するための位置補正用マーカ２７０を読み取るマーカ読取位置Ｂから画像を読み取る。
【００３２】
また、画像読取装置２００は、コンタクトガラス２１０と、前記ラインイメージセンサ２３０Ａ，２３０Ｂに画像を結像する結像素子である２つの結像レンズ２５０Ａ，２５０Ｂとを備える。また、コンタクトガラス２１０の上面側には原稿押圧板２８０が、コンタクトガラス２１０の下面側にはコンタクトガラス２１０上の読取原稿等を照明する照明装置が配置されている。
【００３３】
コンタクトガラス２１０と結像レンズ２５０Ａ，２５０Ｂとの間には光路変更手段を含む光学系として、第１段の反射部材２９１、第２段の反射部材２９２Ａ，２９２Ｂ、第３段の反射部材２９３Ａ，２９３Ｂが配置されている。
【００３４】
結像レンズ２５０Ａ，２５０Ｂは、図２に示すように、それぞれ画像読取幅領域２２０の一部である画像読取幅領域２２０Ａ，２２０Ｂの像をラインイメージセンサ２３０Ａ，２３０Ｂに結像する。ここで、画像読取幅領域２２０Ａ，２２０Ｂには、図２（ｂ）に示すように、重複領域２４０が設定され、この重複領域２４０の画像はラインイメージセンサ２３０Ａ，２３０Ｂで重複して読み取られる。ラインイメージセンサ２３０Ａ，２３０Ｂには、画像合成手段２６０が接続され、ラインイメージセンサ２３０Ａ，２３０Ｂからの２つの画像データはこの画像合成手段２６０で合成され、１つの画像データとして出力される。
【００３５】
コンタクトガラス２１０からラインイメージセンサ２３０Ａ，２３０Ｂに至る光路２８０Ａ，２８０Ｂには、光学系として複数の反射部材が配置される。この例では、コンタクトガラス２１０側から、第１段の反射部材２９１、第２段の反射部材２９２Ａ，２９２Ｂ、第３段の反射部材２９３Ａ，２９３Ｂが配置される。この例では、反射部材２９２Ａ，２９２Ｂ、反射部材２９３Ａ，２９３Ｂは、その取付角度を固定された状態で配置される。
【００３６】
また、前記コンタクトガラス２１０には、主走査方向における前記重複領域２４０の範囲であって、前記原稿読取位置Ａから所定距離だけ離れた位置には位置補正用マーカ２７０が配置される。この位置補正用マーカ２７０が配置された位置がマーカ読取位置Ｂとなる。
【００３７】
前記位置補正用マーカ２７０は、主走査方向に垂直な一辺をもつ三角形状であって、コンタクトガラス２１０を通過する光の光量のみを、例えば２５％程度低下させる透過光量低減手段で構成されている（図４参照）。即ち、位置補正用マーカ２７０は、例えば可視光線透過率７５％程度の薄膜フィルタやＮＤフィルタ等を均一透明な接着剤によりコンタクトガラス２１０に強固に接着することにより配置されて構成される。
【００３８】
次に光路変更手段について説明する。光路変更手段は、第１段の反射部材２９１と、モータ３２０及びこのモータ３２０の駆動により基板３１２を揺動させる駆動部材３３０とで実現される。
【００３９】
ここで第１段、即ち最も読取位置に近い反射部材を光路偏向手段として採用したのは以下の理由による。反射部材の回転により光路変更を行う場合、回転角に誤差があると、所定の読取位置からずれた情報を読み取ってしまうことになる。この回転角の誤差によるずれは、光路長に比例するから、回転する反射部材と原稿読取位置Ａとが近ければ近いほど小さく抑えることができる。このため、本例では、読取位置に最も近い第１段の反射部材２９１を光路変更用手段として、回転角誤差の影響を小さく抑え、画像読取の精度を向上させる。
【００４０】
反射部材２９１は、図３に示すように、支点３１３で揺動可能に支持された基板３１２と、この基板３１２に配置され、画像読取幅領域２２０からの反射光を全て反射するつなぎ目のない１枚続きの反射鏡３１１とで構成されている。モータ３２０は、図示しない制御装置で回転駆動されることにより、駆動部材３３０を進退動させる（矢印Ｃ）。この駆動部材３３０の進退動により第１段の反射部材２９１が揺動して（矢印Ｄ）、ラインイメージセンサ２３０Ａ，２３０Ｂへの入射光（図中Ｅ、Ｅ’）は、コンタクトガラス２１０上の所定位置に設定された原稿読取位置Ａ又はマーカ読取位置Ｂからに切り替える（矢印Ｆ）。なお、第２段の反射部材２９２Ａ，２９２Ｂ、第３段の反射部材２９３Ａ，２９３Ｂはその姿勢を固定されている。本例では、反射部材２９１として継ぎ目のない１枚続きの反射鏡３１１を使用しているので、２つのラインイメージセンサ２３０Ａ，２３０Ｂへの光路２８０Ａ，２８０Ｂを同時に同角度だけ偏向することができ、両者の間の誤差を抑えることができる。
【００４１】
また、本例では、前記結像レンズ２５０Ａ，２５０Ｂからマーカ読取位置Ｂからまでの光路長を前記結像レンズ２５０Ａ，２５０Ｂから原稿読取位置Ａまでの光路長と等しいものとしている。このため、原稿読取と位置補正用マーカ読取を同一条件とすることができ両者の読取を同一の焦点深度をもって行うことができ、画像調整の精度を向上することができる。
【００４２】
以下本例に係る画像読取装置２００の作動について説明する。まず位置補正用マーカ２７０の読取動作について説明する。位置補正用マーカ２７０を読み取るには、図示していない制御装置でモータ３２０を駆動して、駆動部材３３０で反射部材２９１を揺動させて、ラインイメージセンサ２３０Ａ，２３０Ｂにマーカ読取位置Ｂからの反射光が入射するようにする（図３中Ｅ’）。この状態でマーカ読取位置Ｂにおける位置補正用マーカ２７０の像を結像レンズ２５０Ａ，２５０Ｂでラインイメージセンサ２３０Ａ，２３０Ｂに結像して位置補正用マーカ２７０の画像を読み取る。これで、ラインイメージセンサ２３０Ａ，２３０Ｂで取得した２つの画像データを補正するためのデータが取得できる。
【００４３】
次に原稿の読み取りについて説明する。原稿を読み取るには、図示していない制御装置でモータ３２０を駆動して、駆動部材３３０で反射部材２９１を揺動させて、ラインイメージセンサ２３０Ａ，２３０Ｂに原稿読取位置Ａからの反射光が入射するようにする（図３中Ｅ）。この状態でコンタクトガラス２１０と原稿押圧板２８０との間を原稿を搬送しつつ、原稿読取位置Ａにおける原稿像を結像レンズ２５０Ａ，２５０Ｂでラインイメージセンサ２３０Ａ，２３０Ｂに結像して、画像データを読み取って行く。原稿読取位置Ａにおける原稿の反射光は第１段の反射部材２９１、第２段の反射部材２９２Ａ，２９２Ｂ、第３段の反射部材２９３Ａ，２９３Ｂで折り返され、結像素子１５０Ａ，１５０Ｂを介して、ラインイメージセンサ２３０Ａ，２３０Ｂに結像する。
【００４４】
これらの各場合において、ラインイメージセンサ２３０Ａ，２３０Ｂは、各画像読取幅領域２２０Ａ，２２０Ｂでは、重複領域２４０をもって画像データを出力する。また副走査方向には、製造段階でずれが発生しないように調整されている。調整は、光学系のＭＴＦ、倍率、レジストずれ等々が規格範囲に入るように、結像レンズ２５０Ａ，２５０Ｂの位置、角度、ラインイメージセンサ２３０Ａ，２３０Ｂの位置、角度等を調整することにより行われ、主走査方向のずれも同時に調整が行われる。
【００４５】
以下主走査方向のずれの補正について説明する。結像光学系の共役長は６００ｍｍ前後と長いため、ラインイメージセンサ２３０Ａ，２３０Ｂや結像レンズ２５０Ａ，２５０Ｂの微妙な位置変動が起きると、コンタクトガラス上の走査線の読取位置は簡単に１ドット以上ずれてしまい画像劣化をきたしてしまう。特に、機械運搬時の振動や、機内の温度変化による熱膨張によりずれが発生する。
【００４６】
本例ではこのような光学系のずれを検出して、補正を行う。図４は位置補正用マーカを使用した位置ずれの検知及び補正を示す模式図である。この例では、位置補正用マーカ２７０は、上述のように主走査方向に垂直な一辺をもつ三角形状のものとしている。
【００４７】
ラインイメージセンサ２３０Ａとラインイメージセンサ２３０Ｂとは、主走査方向に重複領域２４０を有する。また、副走査方向の基準位置をＫとすると、各ラインイメージセンサ２３０Ａ，２３０Ｂは、副走査方向に基準位置ＫからＹｌおよびＹｒだけずれている。
【００４８】
主走査方向補正の補正についてみると、ラインイメージセンサ２３０Ａ，２３０Ｂで主走査方向に左側からマーキングを読み取ったとする。ラインイメージセンサ２３０Ａの、マーキング検知手前の画素をＸｌ、ラインイメージセンサ２３０Ｂのマーキング検知後の最初の画素をＸｒとすると、画素Ｘ１の次の画素データをＸｒとすることで、２つのラインイメージセンサ２３０Ａ，２３０Ｂのデータを主走査方向に結合できる。
【００４９】
また、副走査方向の補正についてみると、副走査方向の基準位置Ｋにおけるマーキングの幅寸法はＨｋ、ラインイメージセンサ２３０Ａによるマーキング検知幅寸法はＨｌ、ラインイメージセンサ２３０Ｂによるマーキング検知幅寸法はＨｒとなる。ここで、位置補正用マーカ２７０は三角形状であるため、各々の幅寸法Ｈｌ，Ｈｒは副走査方向の位置により一定値に定まる。よってはラインイメージセンサ２３０Ａ，２３０Ｂの検出する幅寸法Ｈｌ，Ｈｒの検出値から各センサが副走査方向に基準から何ライン分ずれているかを算出することができる。
【００５０】
次に位置補正用マーカ２７０を用いて主走査方向に１画素単位での位置ずれ補正処理を行う場合について説明する。図５は、ずれ補正の前後におけるラインバッファのデータの配置状態を示す模式図である。この処理では、各ラインイメージセンサ２３０Ａ，２３０Ｂからのライン状の画像データを一度ラインバッファに記憶する（図４（ａ））。この状態では、ラインイメージセンサ２３０Ａ，２３０Ｂのずれの基準となる位置補正用マーカ２７０の端縁部像（図中暗部で示した）は、両ラインイメージセンサでの４画素ずれた状態である。ずれ補正を行うにはラインバッファ出力の開始アドレスを前後にずらすことにより位置補正用マーカ２７０の端縁部像が一致するようにする。この補正は副走査方向に対しても同様に行うことができる。
【００５１】
また、本例に係る画像読取装置では、１画素未満のずれについても補正を行うことができる。１画素未満の補正は、１画素未満の補正は、画素単位以下でのリサンプリングを行うことにより補正することができる。リサンプリングの方法としては、３次関数コンボリューション方や、ｓｉｎｃ関数補間、直線補間等を用いて、２次元的な補間を行うことができる。この補正は、主走査、副走査方向に対して同時に実行することができる。
【００５２】
また、２つの光学系が主走査方向の位置ずれ補正後、主走査方向の繋ぎ目部分に濃淡の境界が発生する可能性があるので、重複領域の画像データに係数をかけ、画像処理を行うとより画像品質を上げることができる。また、主走査のライン毎に係数をかける画素数や、係数自体、画像処理の有無等を変えることで、副走査方向の画像品質を上げることもできる。
【００５３】
本発明において、画像データ補正装置は、画像形成装置又は画像読取装置の主電源投入時に位置ずれ補正を行うようにしてもよい。また、補正データの作成は、画像形成装置又は画像読取装置の待機時に行ってもよい。これにより、位置ずれ補正が長時間行われないという事態を防止できる。
【００５４】
なお、前記画像読取装置２００では、第１段の反射部材２９１は１枚の連続した反射鏡３１１を備えるもとして構成し、この反射鏡３１１が光路２８０Ａ，２８０Ｂを横切って配置されるようにしたが、第１段の反射部材は複数枚の反射鏡で構成することができる。図６は画像読取装置の変形例を示す模式図、図７は図６に示した画像読取装置の第１段の反射部材を示す平面図である。本例において、第１段の反射部材４１１は、主走査方向に配列された２枚の反射鏡４１１Ａ、４１１Ｂと、これらの反射鏡４１１Ａ、４１１Ｂを結合する結合部材４１２とで構成される他、前記実施例と同様の構成を備える。本例では、２枚の反射鏡４１１Ａ、４１１Ｂは、それぞれ光路２８０Ａ，２８０Ｂに配置され、結合部材４１２は、モータ３２０及び駆動部材３３０で揺動される。このため、２枚の反射鏡４１１Ａ、４１１Ｂを同時に揺動させてラインイメージセンサ２３０Ａ，２３０Ｂの撮像個所を原稿読取位置Ａ及びマーカ読取位置Ｂに切り替えることができる。
【００５５】
本例では、反射鏡はそれほど大きなものでなくともよく、例えばＡ３サイズに汎用的に使用している反射鏡を使用することができ、低コストに本光路変更構成を実現することができる。
【図面の簡単な説明】
【００５６】
【図１】本発明に係る画像形成装置の実施例としての広幅デジタル複写機の外観を示す斜視図である。
【図２】実施例に係る画像読取装置の光学系を示す模式図である。
【図３】実施例に係る画像読取装置を示す側面からの模式図である。
【図４】位置補正用マーカを使用した位置ずれの検知及び補正を示す模式図である。
【図５】ずれ補正の前後におけるラインバッファのデータの配置状態を示す模式図である。
【図６】画像読取装置の変形例を示す模式図である。
【図７】図６に示した画像読取装置の第１段の反射部材を示す平面図である。
【図８】従来の画像読取装置の概略構造を示す模式図である。
【符号の説明】
【００５７】
２００  画像読取装置
２１０  コンタクトガラス
２２０  画像読取幅領域
２２０Ａ，２２０Ｂ  画像読取幅領域
２３０Ａ，２３０Ｂ  ラインイメージセンサ
２４０  重複領域
２５０Ａ，２５０Ｂ  結像レンズ
２６０  画像合成手段
２７０  位置補正用マーカ
２８０  原稿押圧板
２８０Ａ，２８０Ｂ  光路
２９１  第１段の反射部材（光路変更手段）
２９２Ａ，２９２Ｂ  第２段の反射部材
２９３Ａ，２９３Ｂ  第３段の反射部材
３１１  反射鏡
３１２  基板
３１３  支点
３２０  モータ（光路変更手段）
３３０  駆動部材（光路偏向手段）
４１１  反射部材
４１１Ａ、４１１Ｂ  反射鏡
４１２  結合部材
Ａ  原稿読取位置
Ｂ  マーカ読取位置
【図１】
0004864021.tif 000002
【図２】
0004864021.tif 000003
【図３】
0004864021.tif 000004
【図４】
0004864021.tif 000005
【図５】
0004864021.tif 000006
【図６】
0004864021.tif 000007
【図７】
0004864021.tif 000008
【図８】
0004864021.tif 000009